【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
ソーシャルネットワーキングシステムによって実行される、コンピュータに実装される方法において、
前記ソーシャルネットワーキングシステムが、サードパーティアプリケーションを提供する遠隔のサードパーティシステムから、第１のユーザが該サードパーティアプリケーション上において第２のユーザとの一方向性の繋がりを有するという通知を受け取る工程であって、前記遠隔のサードパーティシステムは前記ソーシャルネットワーキングシステムとは異なり、前記第１のユーザは前記ソーシャルネットワーキングシステム上に第１のソーシャルネットワーキングユーザアカウントを有し、前記第２のユーザは前記ソーシャルネットワーキングシステム上に前記第１のソーシャルネットワーキングユーザアカウントとは異なる第２のソーシャルネットワーキングユーザアカウントを有し、前記第１のユーザは前記遠隔のサードパーティシステム上に第１のサードパーティユーザアカウントを有し、前記第２のユーザは前記遠隔のサードパーティシステム上に第２のサードパーティユーザアカウントを有する、前記工程と、
前記第２のユーザが前記サードパーティアプリケーション上においてコンテンツをポストしたという通知を、前記サードパーティアプリケーションから受け取る工程と、
前記第１のユーザ用のフィードを生成する工程であって、該フィードは、前記サードパーティアプリケーション上において前記第２のユーザによってポストされる前記コンテンツの少なくとも一部分を含むポストを含み、該ポストは、前記第２のユーザの前記第２のソーシャルネットワーキングユーザアカウントに帰属される、前記工程と、
前記第１のユーザのクライアントデバイスに対する表示用に前記フィードを送る工程であって、前記ソーシャルネットワーキングシステム及び前記遠隔のサードパーティシステムは前記第１のユーザの前記クライアントデバイスとは異なる、前記工程と、
を備える方法。
【請求項２】
前記サードパーティアプリケーションから、前記サードパーティアプリケーション上の前記第２のユーザの前記アカウントの識別子と、前記ソーシャルネットワーキングシステム上の前記第２のユーザのアカウントの識別子とを、受け取る工程と、
マッピングを記憶する工程であって、該マッピングは、
前記サードパーティアプリケーション上の前記第２のユーザの前記アカウントの前記識別子と、
前記ソーシャルネットワーキングシステム上の前記第２のユーザの前記アカウントの前記識別子と、を含む、前記工程と、
をさらに備える、請求項１に記載の方法。
【請求項３】
前記第２のユーザが前記サードパーティアプリケーション上においてコンテンツをポストしたという前記通知は、前記サードパーティアプリケーション上の前記第２のユーザの識別子を含み、前記方法はさらに、
記憶された前記マッピングを使って、前記ソーシャルネットワーキングシステム上の前記第２のユーザの前記アカウントの前記識別子を決定する工程と、
前記ソーシャルネットワーキングシステム上の前記第２のユーザの前記ユーザアカウントのユーザ名を、前記コンテンツの前記少なくとも一部分に視覚的に関連付けて表示することによって、前記ポストを前記ソーシャルネットワーキングシステム上の前記第２のユーザの前記ユーザアカウントに帰属させる工程と、
を備える、請求項２に記載の方法。
【請求項４】
前記方法はさらに、
前記第１のユーザが前記第２のユーザをフォローしていることを示すために、前記ソーシャルネットワーキングシステムのソーシャルグラフを更新する工程と、
前記第２のユーザによってポストされた前記コンテンツが前記第１のユーザ用の前記フィードの中に含まれるべきであることを、前記ソーシャルグラフに基づいて決定する工程と、
を備える、請求項１に記載の方法。
【請求項５】
前記ソーシャルネットワーキングシステム上において前記第２のユーザは前記第１のユーザの直接的な繋がりではない、請求項１に記載の方法。
【請求項６】
前記第１のユーザ用の前記フィードを生成する工程は、
前記ポストが前記第１のユーザ用のもっとも最近のコンテンツ・アイテムのいくつかの内にあるような時に、前記コンテンツが前記第２のユーザによって前記サードパーティアプリケーション上においてポストされたか否かを判定する工程と、
前記ポストが前記第１のユーザ用のもっとも最近のコンテンツ・アイテムのいくつかの内にあるような時に、前記コンテンツが前記第２のユーザによって前記サードパーティアプリケーション上においてポストされたと判定することに応じて、前記第１のユーザ用の前記フィード内に前記ポストを含める工程と、
を備える、請求項１に記載の方法。
【請求項７】
前記第２のユーザが前記サードパーティアプリケーション上においてコンテンツをポストしたか否かを判定するために、前記サードパーティアプリケーションに問い合わせる工程をさらに備える、請求項１に記載の方法。
【請求項８】
非一時的なコンピュータ可読記憶媒体において、
ソーシャルネットワーキングシステムが、サードパーティアプリケーションを提供する遠隔のシステムから、第１のユーザが該サードパーティアプリケーション上において第２のユーザとの一方向性の繋がりを有するという通知を受け取るための命令であって、前記遠隔のシステムは前記ソーシャルネットワーキングシステムとは異なり、前記第１のユーザは前記ソーシャルネットワーキングシステム上に第１のソーシャルネットワーキングユーザアカウントを有し、前記第２のユーザは前記ソーシャルネットワーキングシステム上に前記第１のソーシャルネットワーキングユーザアカウントとは異なる第２のソーシャルネットワーキングユーザアカウントを有し、前記第１のユーザは前記サードパーティシステム上に第１のサードパーティユーザアカウントを有し、前記第２のユーザは前記サー
ドパーティシステム上に第２のサードパーティユーザアカウントを有する、前記命令と、
前記ソーシャルネットワーキングシステムが、前記第２のユーザが前記サードパーティアプリケーション上においてコンテンツをポストしたという通知を、前記サードパーティアプリケーションから受け取るための命令と、
前記ソーシャルネットワーキングシステムが前記第１のユーザ用のフィードを生成するための命令であって、該フィードは、前記サードパーティアプリケーション上において前記第２のユーザによってポストされる前記コンテンツの少なくとも一部分を含むポストを含み、該ポストは、前記第２のユーザの前記第２のソーシャルネットワーキングユーザアカウントに帰属される、前記命令と、
前記ソーシャルネットワーキングシステムが前記第１のユーザのクライアントデバイスに対する表示用に前記フィードを送るための命令であって、前記ソーシャルネットワーキングシステム及び前記サードパーティアプリケーションは前記第１のユーザの前記クライアントデバイスとは異なる、前記命令と、
を備える媒体。
【請求項９】
前記サードパーティアプリケーションから、前記サードパーティアプリケーション上の前記第２のユーザの前記アカウントの識別子と、前記ソーシャルネットワーキングシステム上の前記第２のユーザのアカウントの識別子とを、受け取るための命令と、
マッピングを記憶するための命令であって、該マッピングは、
前記サードパーティアプリケーション上の前記第２のユーザの前記アカウントの前記識別子と、
前記ソーシャルネットワーキングシステム上の前記第２のユーザの前記アカウントの前記識別子と、を含む、前記命令と、
をさらに備える、請求項８に記載の媒体。
【請求項１０】
前記第２のユーザが前記サードパーティアプリケーション上においてコンテンツをポストしたという前記通知は、前記サードパーティアプリケーション上の前記第２のユーザの識別子を含み、前記媒体はさらに、
記憶された前記マッピングを使って、前記ソーシャルネットワーキングシステム上の前記第２のユーザの前記アカウントの前記識別子を決定するための命令と、
前記ソーシャルネットワーキングシステム上の前記第２のユーザの前記ユーザアカウントのユーザ名を、前記コンテンツの前記少なくとも一部分に視覚的に関連付けて表示することによって、前記ポストを前記ソーシャルネットワーキングシステム上の前記第２のユーザの前記ユーザアカウントに帰属させるための命令と、
を備える、請求項９に記載の媒体。
【請求項１１】
前記媒体はさらに、
前記第１のユーザが前記第２のユーザをフォローしていることを示すために、前記ソーシャルネットワーキングシステムのソーシャルグラフを更新するための命令と、
前記第２のユーザによってポストされた前記コンテンツが前記第１のユーザ用の前記フィードの中に含まれるべきであることを、前記ソーシャルグラフに基づいて決定するための命令と、
を備える、請求項８に記載の媒体。
【請求項１２】
前記ソーシャルネットワーキングシステム上において前記第２のユーザは前記第１のユーザの直接的な繋がりではない、請求項８に記載の媒体。
【請求項１３】
前記第１のユーザ用の前記フィードを生成することは、
前記ポストが前記第１のユーザ用のもっとも最近のコンテンツ・アイテムのいくつかの内にあるような時に、前記コンテンツが前記第２のユーザによって前記サードパーティ
アプリケーション上においてポストされたか否かを判定することと、
前記ポストが前記第１のユーザ用のもっとも最近のコンテンツ・アイテムのいくつかの内にあるような時に、前記コンテンツが前記第２のユーザによって前記サードパーティアプリケーション上においてポストされたと判定することに応じて、前記第１のユーザ用の前記フィード内に前記ポストを含めることと、
を備える、請求項８に記載の媒体。
【請求項１４】
前記第２のユーザが前記サードパーティアプリケーション上においてコンテンツをポストしたか否かを判定するために、前記サードパーティアプリケーションに問い合わせるための命令をさらに備える、請求項８に記載の媒体。